(57)【要約】【課題】携帯端末装置から据置機器へオーディオ再生などの動作をシームレスに引き継ぐことのできる電子機器システムを提供する。【解決手段】携帯機器と据置機器とを有するシステムである。携帯機器および据置機器のそれぞれに、制御部および通信部を備える。携帯機器、据置機器の一方または両方に、携帯機器が据置機器の近傍に置かれた近接状態であることを検出する近接検出部を設ける。携帯機器の制御部は、近接状態が検出されたとき、その時点での動作状態を表す動作情報、そのときの機能設定状態を表す設定情報の一方または両方を据置装置に送信する。据置機器の制御部は、動作情報および／または設定情報を受信したとき、その受信した情報に基づいて動作を開始する。携帯機器の制御部は、据置装置に送信した情報に基づく動作を停止させる。【選択図】図４
2014027458.tif 000002
【特許請求の範囲】
【請求項１】
携帯可能な第１機器と据置の第２機器とを有するシステムであって、
前記第１機器および第２機器は、制御部および通信部をそれぞれ備えるととともに、
前記第１機器および第２機器の一方または両方に、前記第１機器が前記第２機器に設けられた載置部に載置された状態またはこれと同等の距離まで接近した状態である近接状態を検出する近接検出部を設け、
前記第１機器の制御部は、前記近接状態が検出されたとき、その時点での動作状態を表す動作情報、そのときの機能設定状態を表す設定情報の一方または両方を前記第２装置に送信し、
前記第２機器の制御部は、前記動作情報および／または設定情報を受信したとき、その受信した情報に基づいて動作を開始し、
さらに、前記第１機器の制御部は、前記第２装置に送信した情報に基づく動作を停止させる
電子機器システム。
【請求項２】
前記第１機器および第２機器の通信部は、電磁波の相互誘導を用いて相互に近接した距離で通信を行う近接通信部であり、
前記近接検出部は、前記第１機器の通信部と前記第２機器の通信部とが通信可能になったとき、前記近接状態になったと判断する請求項１に記載の電子機器システム。
【請求項３】
前記第２機器は、電源オン信号が入力されたことに応じて機器への電源供給を開始する電源制御回路を備え、
前記第２機器の通信部は、前記第１機器が発生した電磁波による電力によって起動し、この起動に応じて前記電源オン信号を前記電源制御回路に入力する
請求項２に記載の電子機器システム。
【請求項４】
前記第２機器の制御部は、前記第１機器の個体認証情報を記憶し、
前記第１機器の制御部は、通信開始時に自己の個体認証情報を第２機器に対して送信し、
前記第２機器の制御部において、受信した個体認証情報と記憶している個体認証情報とが一致したとき、前記動作情報および／または設定情報の送受信を開始する請求項１乃至請求項３のいずれかに記載の電子機器システム。
【請求項５】
前記第１機器および前記第２機器は、オーディオソース再生部をそれぞれ備え、
前記動作情報は、前記第１機器が再生中のオーディオソースに関する情報である
請求項１乃至請求項４のいずれかに記載の電子機器システム。
【請求項６】
前記第２機器の制御部は、前記第１機器に対して、その時点での動作状態を表す第２動作情報を適宜送信し、
前記第１装置の制御部は、前記近接状態が検出されなくなったとき、それまで受信した前記第２動作情報に基づいて動作を再開し、
前記第２機器の制御部は、前記近接状態が検出されなくなったとき、装置の動作を停止させる
請求項１乃至請求項５のいずれかに記載の電子機器システム。
【発明の詳細な説明】
【技術分野】
【０００１】
この発明は、携帯機器と据置機器とを連携して動作させる電子機器システムに関する。
【背景技術】
【０００２】
Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）等の近距離通信が実用化されており、携帯電話機などの携帯端末装置と据置機器とを近距離通信で接続して連携させるシステムも提案されている（たとえば特許文献１、２など）。
【０００３】
特許文献１には、近距離通信を用いて携帯電話機をリモコンのように機能させ、テレビなどの据置機器を制御するシステムが記載されている。また、特許文献２には、携帯電話機と据置機器（テレビ受像機）との間でビデオコンテンツを伝送するシステムが記載されている。
【先行技術文献】
【特許文献】
【０００４】
【特許文献１】特開２０１０−０８７７５５号公報
【０００５】
【特許文献２】特開２０１０−０３２９４１号公報
【発明の概要】
【発明が解決しようとする課題】
【０００６】
一方、携帯端末装置の多くはオーディオ再生機能やテレビ受像機能を自ら備えており、ユーザは、特に外出中は、携帯電話機等の携帯端末装置を用いてオーディオソースや映像ソースを楽しむことが多い。
【０００７】
上に述べたように、近距離通信を用いて携帯電話機等の携帯端末装置とテレビ受像機等の据置機器とを通信させることは、既に種々提案されているが、ユーザが携帯端末装置で楽しんでいたオーディオソース、映像ソースなどの再生動作をスムーズに据置機器に引き継がせることはできなかった。
【０００８】
たとえば、特許文献２に記載のように、携帯端末装置で再生中のオーディオソース、映像ソースを、そのままＢｌｕｅｔｏｏｔｈで据置機器に転送することも考えられるが、伝送量が多く、通信の輻輳にもつながり好ましいことではない。
【０００９】
この発明は、携帯端末装置から据置機器へオーディオ再生などの動作をシームレスに引き継ぐことのできる電子機器システムを提供することを目的とする。
【課題を解決するための手段】
【００１０】
この発明の電子機器システムは、携帯可能な第１機器と据置の第２機器とを有するシステムであって、前記第１機器および第２機器は、制御部および近接通信部をそれぞれ備えるととともに、前記第１機器および第２機器の一方または両方に、前記第１機器が前記第２機器に設けられた載置部に載置された状態またはこれと同等の距離まで接近した状態である近接状態を検出する近接検出部を設け、前記第１機器の制御部は、前記近接状態が検出されたとき、その時点での動作状態を表す動作情報、そのときの機能設定状態を表す設定情報の一方または両方を前記第２装置に送信し、前記第２機器の制御部は、前記動作情報および／または設定情報を受信したとき、その受信した情報に基づいて動作を開始し、さらに、前記第１機器の制御部は、前記第２装置に送信した情報に基づく動作を停止させることを特徴とする。
【００１１】
前記第１機器および第２機器の通信部を、電磁波の相互誘導を用いて相互に近接した距離で通信を行う近接通信部で構成し、前記近接検出部を、前記第１機器の近接通信部と前記第２機器の近接通信部とが通信可能になったとき、前記第１機器が前記近接状態になったと判断させるようにしてもよい。
【００１２】
前記第２機器に、電源オン信号の入力に応じて機器への電源供給を開始する電源制御回路を備え、前記第２機器の通信部を、前記第１機器が発生した電磁波による電力によって起動し、この起動に応じて前記電源オン信号を前記電源制御回路に入力するものとしてもよい。
【００１３】
前記第２機器の制御部に、前記第１機器の個体認証情報を記憶させ、前記第１機器の制御部が、通信開始時に自己の個体認証情報を第２機器に対して送信し、前記第２機器の制御部において、受信した個体認証情報と記憶している個体認証情報とが一致したとき、前記動作情報および／または設定情報の送受信を開始するようにしてもよい。
【００１４】
前記第１機器および前記第２機器に、オーディオソース再生部をそれぞれ設け、前記動作情報を前記第１機器が再生中のオーディオソースに関する情報としてもよい。
【００１５】
前記第２機器の制御部は、前記第１機器に対して、その時点での動作状態を表す第２動作情報を適宜送信し、前記第１装置の制御部は、前記近接状態が検出されなくなったとき、それまで受信した前記第２動作情報に基づいて動作を再開し、前記第２機器の制御部は、前記近接状態が検出されなくなったとき、装置の動作を停止させるようにしてもよい。
【発明の効果】
【００１６】
この発明によれば、携帯可能な第１機器が据置の第２機器に近接したことを検出して、第２機器へ動作情報／設定情報が送信され、第１機器における動作が第２機器に引き継がれる。
【図面の簡単な説明】
【００１７】
【図１】この発明の実施形態であるオーディオシステムの構成図
【図２】オーディオシステムの携帯端末装置のブロック図
【図３】オーディオシステムの据置機器のブロック図
【図４】オーディオシステムの動作を示すフローチャート
【図５】オーディオシステムの動作を示すフローチャート
【発明を実施するための形態】
【００１８】
図面を参照してこの発明の実施形態であるオーディオシステムについて説明する。
【００１９】
図１は、同携帯オーディオシステムのシステム構成を示す図である。携帯オーディオシステムは、携帯端末装置１および据置機器２を有している。携帯端末装置１としては、多機能携帯電話機（いわゆるスマートフォン）が好適である。また、据置機器２としては、いわゆるデスクトップオーディオと呼ばれるアンプ、スピーカ、チューナ、ＣＤプレーヤを内蔵したオールインワンのオーディオ機器が好適である。
【００２０】
携帯端末装置１は、３Ｇ／４Ｇの携帯電話通信機能を備えるとともに、Ｗｉ−Ｆｉ、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）など、複数の通信機能を備えている。ここで、Ｗｉ−Ｆｉは、ＩＥＥＥ８０２．１１に規定される無線ＬＡＮの通信規格である。Ｂｌｕｅｔｏｏｔｈは、２．４ＧＨｚ帯を用いて１０〜１００ｍ程度の近距離通信を行う通信規格である。通信速度は最大２Ｍｂｐｓ程度である。ＮＦＣは、１０ｃｍ程度の極近接無線通信を行う通信規格であり、１３．５６ＭＨｚの電磁誘導を用いて２００ｋｂｐｓ程度の速度の通信が可能である。
【００２１】
ＮＦＣが本発明の近接通信に対応する。ただし、ＮＦＣは一例であり、同じ場所に複数の据置機器２が存在した場合でも、ユーザが意図して携帯端末装置１を近づけた据置機器２のみが通信を行うことができる程度の極近接通信方式であれば、ＮＦＣに限定されない。
【００２２】
携帯端末装置１は、ＮＦＣの通信コイル４０、および、非接触電力伝送（ＷＰＣ）の受電コイル４１を筐体背面に内蔵している。ここで、非接触電力伝送とは、電磁誘導、電界結合、共振結合などの方式を用いて無接点で電力を伝送する技術であり、たとえば、電磁誘導方式の場合、１００〜２００ｋＨｚ程度の周波数の電磁波を用いて、送電コイルから受電コイルへ１２Ｗ程度の電力が伝送される。
【００２３】
また、携帯端末装置１は、基本機能として、アラーム機能、メール送受信機能、ＭＰ３などの音楽ファイルの再生機能、ラジオ（サイマル）放送の受信機能、ＴＶ（ワンセグ）放送の受信機能などを備えている。
【００２４】
一方、据置機器２は、携帯端末装置１と同様に、Ｗｉ−Ｆｉ、Ｂｌｕｅｔｏｏｔｈ、ＮＦＣなどの複数の通信機能を備えている。また、据置機器２は、音楽ファイルの再生機能、ラジオ放送の受信機能、ＣＤの再生機能などを備えている。
【００２５】
なお、この実施形態では、据置機器２として単体のオーディオ機器を例示しているが、単体である必要はなく、コンポーネント機器であってもよい。また、据置機器２が、ＨＤＭＩなどのインタフェースを介してテレビ受像機、録画機器など他の機器と接続されていてもよい。
【００２６】
据置機器２は、その上面にテーブル状の天板２Ａを有している。この天板２Ａは、小物トレイ、特に、携帯端末装置１の置き場所として設けられたものである。すなわち、携帯端末装置１をポケットやバッグ等に入れて持ち歩いているユーザが、帰宅すると、ポケットやバッグ等から携帯端末装置１を取り出して据置機器２の天板２Ａ上に置くことが想定されている。据置機器２は、この天板２Ａの裏側（筐体内部）に、ＮＦＣの通信コイル６３および非接触給電の送電コイル６６を備えている。
【００２７】
携帯端末装置１が天板２Ａ上に置かれることにより、携帯端末装置１と据置機器２は、ＮＦＣによる通信を開始する。この通信により、携帯端末装置１は、動作情報および設定情報を据置機器２に送信する。据置機器２は、この動作情報および設定情報を引き継いで動作を開始する。動作情報とは、再生中のオーディオソースに関する情報を含む携帯端末装置１の現在の動作状態を示す情報である。たとえば、再生中の音楽ファイルのファイル名、アルバム名（選曲リスト名）、再生中タイミング情報、または、受信中のラジオ局、テレビ局の情報などである。具体的には、現在再生中のアルバム（選曲リスト）の総トラック数、トータル時間、再生中トラック番号、再生中時刻情報などである。また、携帯端末装置１が放送を受信している場合、動作情報は、再生中のラジオ・テレビなどの放送局の局情報またはＵＲＬ情報を含んでいてもよい。設定情報とは、アラーム時刻などの設定情報である。
【００２８】
据置機器２が引き継ぐ動作とは、たとえば以下のようなものである。
【００２９】
携帯端末装置１が音楽ファイルを再生中であった場合、据置機器２が同じ音楽ファイルの再生を開始する。この場合、携帯端末装置１の再生と同期したタイミングから再生を開始する。
【００３０】
携帯端末装置１がラジオ放送またはテレビ放送を受信中であった場合、据置機器２が同じ放送の受信再生を開始する。テレビ放送の受信機能を備えていない据置機器２がＨＤＭＩ等でテレビ受像機と接続されている場合、そのテレビ受像機をＨＤＭＩ／ＣＥＣで制御して同じ放送の視聴を開始させてもよい。
【００３１】
携帯端末装置１にアラームが設定されている場合、据置機器２が同様のアラームを自装置に設定し、設定時刻になったときアラームを鳴動させる、または、テレビ、ラジオの受信をスタートさせる。
【００３２】
携帯端末装置１が携帯電話機である場合、電話の着信、メールの受信を据置機器２に通知し、据置機器２が着信音、メール受信音を発生する。これにより、携帯端末装置（携帯電話機）１がマナーモードのままでもユーザに着信、メール受信を知らせることができる。
【００３３】
以下、ブロック図を参照して、携帯端末装置１および据置機器２の構成について説明する。
【００３４】
図２は、携帯端末装置１のブロック図である。上述したように、この実施形態において、携帯端末装置１は多機能携帯電話機（スマートフォン）である。携帯端末装置１では、制御部であるＭＣＵ２１に、３Ｇ／４Ｇ通信回路２２、Ｗｉ−Ｆｉ通信回路２３、Ｂｌｕｅｔｏｏｔｈ通信回路２４、ＮＦＣ通信回路２５、充電回路２６、ＴＶ（ワンセグ）チューナ２７、音声プロセッサ２８、画像プロセッサ２９、メディアインタフェース３０および操作部３１が接続されている。
【００３５】
また、ＭＣＵ２１はメモリ２１Ａを内蔵している。メモリ２１Ａには、この携帯端末装置１を識別する個体識別情報が記憶されている。個体識別情報としては、この携帯端末装置１に割り当てられたユニークな番号（シリアル番号等）、電話番号、ユーザの氏名を番号化したもの、ユーザの生年月日、ユーザが任意に設定した数値や文字列などがある。
【００３６】
３Ｇ／４Ｇ通信回路２２は、第３世代／第４世代移動通信網を用いて音声通話およびデータ通信を行う回路である。Ｗｉ−Ｆｉ通信回路２３は、ＩＥＥＥ８０２．１１規格の無線ＬＡＮの通信を行う。Ｗｉ−Ｆｉ通信回路２３は、複数のＷｉ−Ｆｉ機器がネットワークを統括する無線アクセスポイントを介して通信し、互いに直接通信しないインフラストラクチャーモード（ｉｎｆｒａｓｔｒｕｃｔｕｒｅ  ｍｏｄｅ）、および、複数のＷｉ−Ｆｉ機器が互いに直接通信をする形態のアドホック・モード（ａｄ−ｈｏｃ  ｍｏｄｅ）の両モードで通信を行う。Ｂｌｕｅｔｏｏｔｈ通信回路２４は、Ｂｌｕｅｔｏｏｔｈ（ＩＥＥＥ８０２．１５．１）で、予め設定された通信相手とＰＮＰの通信を行う通信回路である。Ｂｌｕｅｔｏｏｔｈは、主として相手装置との文字情報やデジタル音声信号などの伝送に用いられる。
【００３７】
ＮＦＣ通信回路２５は、１３．５６ＭＨｚの高周波電流による磁束を生じさせるための通信用コイル４０を備えている。ＮＦＣでは、通信する２台の通信コイルを対向させ、送信側のコイルに信号で変調された１３．５６ＭＨｚのキャリア電流を流すことにより、受信側のコイルに信号で変調された相互誘導電流を生じさせる。また、送信側のコイルに強い電流を流すことにより、受信側のコイルに電力を送ることも可能である。この電力で受信側の通信回路を起動することにより、受信側のＮＦＣ通信回路を待機電力無しで待機させることが可能になる。
【００３８】
ＮＦＣ通信回路２５は、カードエミュレーションモード、リーダ／ライターモード、および、Ｐ２Ｐモードの３つのモードでの動作が可能である。ＮＦＣ通信回路２５は、モードスイッチを内蔵しており、情況に応じて動作モードを上の３つのモードのいずれかに切り換える。
【００３９】
カードエミュレーションモードは、非接触ＩＣカードとして機能するモードであり、非接触ＩＣカードのリーダ・ライタとの通信が可能である。リーダ／ライタモードは、非接触ＩＣカードへのデータの読み込み・書き込みを実現するモードである。カードエミュレーションモードのＮＦＣ機器とリーダ／ライタモードのＮＦＣ機器とが接近した場合、リーダ／ライタモードのＮＦＣ機器がカードエミュレーションモードのＮＦＣ機器を検出して通信を開始する。
【００４０】
この実施形態では、携帯端末装置１のＮＦＣ通信回路２５は、リーダ／ライタモードにデフォルト設定される。また、後述の据置機器２のＮＦＣ通信回路６２は、カードエミュレーションモードにデフォルト設定される。これにより、携帯端末装置１が据置機器２の天板２Ａ上に置かれたとき、ＮＦＣ通信回路２５がＮＦＣ通信回路６２を検出して通信を開始する。なお、ＮＦＣ通信回路２５とＮＦＣ通信回路６２のデフォルト設定は逆であってもよい。
【００４１】
また、Ｐ２Ｐモードは、ＮＦＣ機器間のピアツーピア通信を実現するモードである。Ｐ２Ｐモードにより、ＮＦＣ機器間で直接、各種の情報を交換することが可能になる。
【００４２】
充電回路２６は、内蔵のバッテリ４６を充電する回路である。充電回路２６は、非接触電力伝送によって電力の供給を受けるため、受電コイル４１を備えている。受電コイル４１は、筐体の背面側に、通信用コイル４０と中心軸を共通にして設けられている。非接触電力伝送の代表的な規格であるＷＰＣは、１００〜２００ＫＨｚ程度の周波数の電磁波を用いて１２Ｗ程度の電力伝送が可能である。
【００４３】
ＴＶチューナ２７は、テレビ（ワンセグ）放送を受信する。受信した映像および音声は、音声プロセッサ２８および映像プロセッサ２９に入力される。
【００４４】
音声プロセッサ２８は、圧縮されたデジタルの音声信号を伸長してビットストリームの音声信号に変換する処理部である。音声プロセッサ２８は、テレビ放送の音声処理のほか、通話音声、デジタルの音楽ファイルの再生などの処理を行う。音声プロセッサ２８は、再生した音声信号をアンプ４２に入力する。アンプ４２は、入力された音声信号を増幅し、スピーカ４３およびイヤホン端子４４に出力する。
【００４５】
画像プロセッサ２９は、圧縮されたテレビ放送の動画や画像ファイルなどをディスプレイサイズの画像に展開する。展開された画像は表示部４５に出力される。表示部４５は、携帯端末装置１前面に設けられたディスプレイ４５Ａを含み、画像プロセッサ２９から入力された画像をディスプレイ４５Ａに表示する。
【００４６】
操作部３１は、ディスプレイ４５Ａ表面に形成されたタッチパネルを含み、ユーザによる操作を検出してＭＣＵ２１に伝達する。メディアインタフェース３０は、メモリカードスロットを有し、メモリカード５が接続される。メモリカード５は、たとえばマイクロＳＤカードなどであり、前述の音声プロセッサ２８に出力する圧縮されたデジタルの音声信号である複数の音楽ファイルなどを記憶している。
【００４７】
次に図３のブロック図を参照して据置機器２について説明する。据置機器２では、制御部であるＭＣＵ５１に、音声プロセッサ５２、アンプ５３、ＦＭチューナ５６、ＣＤドライブ５７、メディアインタフェース５８、表示部５９、操作部６０、Ｂｌｕｅｔｏｏｔｈ通信回路６１、ＮＦＣ通信回路６２、電源制御回路６４、および、送電回路６５が接続されている。
【００４８】
また、ＭＣＵ５１はメモリ５１Ａを内蔵している。メモリ５１Ａには、通信相手である携帯端末装置１を認証するため、携帯端末装置１の個体識別情報が記憶されている。上述したように、個体識別情報としては、この携帯端末装置１に割り当てられたユニークな番号（シリアル番号等）、電話番号、ユーザの氏名を番号化したもの、ユーザの生年月日、ユーザが任意に設定した数値や文字列などがあるが、これらの全てを記憶してもよく、その一部のみを記憶してもよい。携帯端末装置１の個体識別情報は、事前に行われるペアリング処理によってメモリ５１Ａに書き込まれる。
【００４９】
据置機器２は、いわゆるデスクトップオーディオ機器であり、音声プロセッサ５２で処理された音声をアンプ５３で増幅してスピーカ５４から放音することを主たる機能としている。音声プロセッサ５２は、デジタルの音声信号をビットストリームの音声信号に変換する処理部である。音声プロセッサ５２には、ＣＤドライブ５７が接続されている。また、音声プロセッサ５２には、メディアインタフェース５８を介してメモリーカード６から読み出された音楽ファイルのデジタルオーディオ信号も入力される。メディアインタフェース５８には、たとえば、ＳＤカードやＵＳＢメモリなどの半導体メディアであるメモリーカード６が接続される。メモリーカード６には、携帯端末装置１のメモリーカード５同様ＭＰ３などで圧縮された複数の音楽ファイルが記憶されている。ここで、据置機器２のメモリーカード６には、携帯端末装置１のメモリーカード５に記憶されている音楽ファイルを包含する音楽ファイルが記憶されているものとする。これらメモリカード５，６に記憶される音楽ファイルが、何らかの手順で同期されるようにしてもよい。
【００５０】
また、アンプ５３には、音声プロセッサ５２のほかＦＭチューナ５６からの音声も入力される。アンプ５３は入力されたオーディオ信号をＭＣＵ５１から指示されたボリューム値で増幅する。増幅された音声信号はスピーカ５４に出力される。
【００５１】
表示部５９は正面パネルに設けられた液晶ディスプレイを含み、現在時刻や再生中の曲名などを表示する。操作部６０は、各種ボタンやボリュームつまみなどを含み、ユーザの操作をＭＣＵ５１に伝達する。
【００５２】
Ｂｌｕｅｔｏｏｔｈ通信回路６１は、Ｂｌｕｅｔｏｏｔｈ（ＩＥＥＥ８０２．１５．１）で通信する通信回路である。ＮＦＣ通信回路６２は、ＮＦＣ通信を行う通信回路である。ＮＦＣ通信回路６２は、通信コイル６３を有している。上述したように、ＮＦＣ通信回路６２は、カードエミュレーションモードにデフォルト設定される。
【００５３】
ＮＦＣ通信回路６２には電源制御回路６４が接続されている。電源制御回路６４は、据置機器２の電源のオン／オフを切り換える回路である。電源制御回路６４は、ＮＦＣ通信回路６４、電源スイッチ７０およびＭＣＵ５１から入力されるオン信号／オフ信号に基づいて据置機器２の電源をオン／オフする。
【００５４】
なお、ＮＦＣ通信回路６２は、電源制御回路６４を介して供給される電源によって動作するが、相手装置である携帯端末装置１のＮＦＣ通信回路２５から電磁波（キャリア）によって供給される電力でも動作する。
【００５５】
ＮＦＣ通信回路６２は、携帯端末装置１のＮＦＣ通信回路２５から供給された電力で起動し、ＮＦＣ通信回路２５との通信を確立すると、据置機器２の電源をオンするよう、電源制御回路６４に対してオン信号を入力する。電源がオンされると、ＮＦＣ通信回路６２も電源回路７０から供給される電力で動作する。このように、据置機器２は携帯端末装置１からの給電によって起動するため、待機電力を殆ど０にすることができる。また、ＮＦＣ通信回路６２が内部電源で動作するようになったとき、携帯端末装置１のＮＦＣ通信回路２５は発生する電磁波を弱くして電力の消費を抑えるようにしてもよい。
【００５６】
送電回路６５は、１００〜２００ｋＨｚの非接触電力伝送の電流を発生させる回路であり、送電コイル６６を有している。送電コイル６６は、通信回路６３と同軸に天板２Ａの裏側に設けられている。
【００５７】
この実施形態では、通信コイル４０、６３と送電コイル６６、受電コイル４１とを別々に設けているが、ＮＦＣの周波数で電力伝送（充電）を行う場合には、１つのコイルでも構わない。
【００５８】
図４のフローチャートを参照して、携帯端末装置１から据置機器２への引継動作について説明する。この動作は、たとえば以下のような場面を想定している。ユーザが、携帯端末装置１で音楽を聴きながら帰宅する。帰宅後、携帯端末装置１を据置機器２の点板２Ａ上に置く。そうすると、据置機器２がユーザが聴いていた音楽の再生を引き継ぎ、携帯端末装置１は音楽の再生を自動停止する。この動作により、ユーザは、移動中の携帯端末装置１から自宅の据置機器２に、特段の操作無しで、シームレスに音楽の再生を引き継がせることができる。
【００５９】
図４のフローチャートでは、ＭＰ３等の音楽ファイルの再生を移行する場合を例にあげて説明しているが、他のソースの再生、例えばラジオ放送、テレビ放送の受信を移行する場合にも同様に適用可能である。
【００６０】
図４（Ａ）は携帯端末装置１の動作を示すフローチャートである。図４（Ｂ）は据置機器２の動作を示すフローチャートである。図４（Ａ）のＳ１〜Ｓ３は、携帯端末装置１がユーザに携帯されているときの動作である。ユーザの操作によりメモリーカード５などに記憶された複数の音楽ファイルの中から、再生する曲（音楽ファイル）が選択される（Ｓ１）。この曲の選択は、１つの音楽ファイルの選択、アルバムの選択、ユーザが作成した選曲リストの選択等を含む。ユーザによって曲が選択されると、この選択操作によって選択された音楽ファイルをメモリーカード５から読み出して（Ｓ２）、そのデジタルオーディオ信号を再生する（Ｓ３）。また、携帯端末装置１は、ＮＦＣ通信装置２５をリーダ／ライタモードに設定し、ポーリングを行わせて通信の相手となるＮＦＣ機器の出現を監視している（Ｓ４）。なお、この監視動作はＳ４のタイミングのみならず常時行われている。また、Ｓ４のタイミングでは通信の相手となるＮＦＣ機器が出現するまで繰り返し監視している。
【００６１】
ＮＦＣ通信回路２５は、他のＮＦＣ機器を発見すると、その機器に対して給電し、ＮＦＣレベルでの通信を確立する（Ｓ５）。ＮＦＣレベルでの通信が確立されると、ＭＣＵ２１は、メモリ２１Ａに記憶している個体識別情報を相手機器である据置機器２に送信して、据置装置２に個体認証を行わせる（Ｓ６）。個体認証とは、一方の機器が相手機器に自己の個体識別情報を送信し、相手機器がその受信した個体識別情報が予め登録されている（ペアリングされている）機器のものであることを認証する処理である。据置機器２による個体認証により、相互にペアリングされている機器同士であることが確認されると、据置機器２に動作情報および設定情報を送信する（Ｓ７、Ｓ８）。動作情報は、上述したように、再生中のオーディオソースに関する情報であり、例えば、どの音楽ファイルの何分何秒の位置を再生中である旨や、どのアルバムのどの音楽ファイルのどの位置（何分何秒）を再生中である旨の情報である。設定情報は、アラーム時刻などの動作設定の情報である。そして、音楽ファイルの再生をフェードアウトして停止する（ｓ９）。そして、設定情報に基づく動作（たとえばアラームなど）を停止する（Ｓ１０）。
【００６２】
図４（Ｂ）は、据置機器２の動作を示すフローチャートである。スタンバイ状態では電源制御回路６４のみアクティブであり、他の回路は全て電源オフ状態である。なお、ＮＦＣ通信回路６２はカードエミュレーションモードであるが、パッシブ通信モードで電源が供給されていない。
【００６３】
携帯端末装置１から給電を受けることにより、据置機器２のＮＦＣ通信回路６２が起動すると（Ｓ２１）、ＮＦＣ通信回路６２は、携帯端末装置１のＮＦＣ通信回路２５との間でＮＦＣレベルでの通信を確立する（Ｓ２２）。そして、ＮＦＣ通信回路６２は、電源制御回路６４にオン信号を出力し、本体の電源がオンされる（Ｓ２３）。本体の電源がオンされると、ＭＣＵ５１により、ＮＦＣ通信回路６２がＰ２Ｐモードに切り換えられ（これに同期してＮＦＣ通信回路２５もＰ２Ｐモードに切り換えられる）、ＮＦＣを介して相手装置（携帯端末装置１）から個体識別情報を受信して個体認証を行う（Ｓ２４）。個体認証が完了すると、携帯端末装置１から送信されてくる動作情報および設定情報を受信して記憶する（Ｓ２５、Ｓ２６）。そして、受信した動作情報で指定される音楽ファイルをメモリーカード６などから読み出し（Ｓ２７）、動作情報で指定された再生タイミングから再生を開始してフェードインさせる（Ｓ２８）。そして、受信した設定情報に従ってアラームなどの設定を行う（Ｓ２９）。
【００６４】
なお、上のフローチャートには記載していないが、携帯端末装置１の認証が完了した時点（Ｓ２４）で、充電回路６５がオンされ、非接触電力伝送による携帯端末装置１のバッテリ４６の充電が開始される。
【００６５】
以上の処理動作により、携帯端末装置１が据置機器２の天板２Ａ上に載置されたとき、ユーザの何らの操作なしで、携帯端末装置１から据置機器２への動作の引き継ぎが可能になる。以後、据置機器２で音楽ファイルなどオーディオソースの再生が行われ、この後、携帯端末装置１が天板２Ａから取り上げられると、再生動作は再び携帯端末装置１に引き継がれる。
【００６６】
以下、携帯端末装置１が天板２Ａから取り上げられた場合の、据置機器２から携帯端末装置１への動作移行処理について説明する。
【００６７】
携帯端末装置１が天板２Ａから取り上げられたことは、相互のＮＦＣ通信が切断されることによって判明するため、取り上げられたことが判明したのちにＮＦＣ通信を用いて動作情報を転送することはできない。そこで、据置機器２は、オーディオソースの再生に変更が生じた場合ごとに、携帯端末装置１へその変更情報を送信する。オーディオソースの再生に変更が生じるとは、再生する音楽ファイルが変わる（次の曲の再生を開始する）場合、ユーザが早送り、巻き戻し、スキップ等の操作をした場合、再生するオーディオソースを（たとえばラジオ放送に）変更した場合など、時間経過のみでは追尾できない事象が生じた場合である。たとえば、ボリュームの上下は、オーディオソースの再生に変更を生じさせる操作に含まれない。
【００６８】
そして、携帯端末装置１がユーザによって取り上げられると、携帯端末装置１は、それまでに取得した変更情報に基づいて、据置機器２における現在の動作状態を推定し、この動作状態に同期するように、自装置の再生動作をスタートさせる。こののち、据置機器２は、再生を停止して電源オフする。
【００６９】
なお、据置機器２は携帯端末装置１が取り上げられたとき即座に再生動作を停止してもよいが、ユーザが携帯端末装置１を取り上げ、イヤホンを耳に差し込み、再生される音楽を聴けるようになるまで、若干の時間が掛かるため、据置機器２は、携帯端末装置１が天板２Ａから取り上げられたのち（ＮＦＣ通信が切断されたのち）、１０秒程度経過したのちに楽曲の再生を停止し、自己の電源をオフする。
【００７０】
図５は、携帯端末装置１が据置機器２の天板２Ａ上に載置されているときおよび取り上げられたときの動作を示すフローチャートである。
【００７１】
図５（Ａ）は据置機器２の再生監視ルーチンを示すフローチャートである。このルーチンは、携帯端末装置１との間でＮＦＣ通信が確立されているとき、定期的に（たとえば１００ｍ秒に１回）実行される。この監視ルーチンでは、ユーザによるオーディオソースの再生を変更する操作があったか（Ｓ５１）、曲（音楽ファイル）が終了したか（Ｓ５２）、または、携帯端末装置１とのＮＦＣ通信が切断されたか（Ｓ５３）を監視する。
【００７２】
オーディオソースの再生を変更する操作があった場合には（Ｓ５１でＹＥＳ）、この操作に対応する動作を行うとともに（Ｓ５５）、この操作を示す変更情報を、ＮＦＣ通信を介して携帯端末装置１に送信する（Ｓ５６）。
【００７３】
曲が終了すると（Ｓ５２でＹＥＳ）、再生を予約されている次の曲があるか否かを判断する（Ｓ５７）。次の曲がある場合には（Ｓ５７でＹＥＳ）、その次の曲の音楽ファイルを読み出して再生をスタートする（Ｓ５８）。そして、その旨（次の曲の曲名（ファイル名）およびその再生をスタートした旨）を変更情報として携帯端末装置１に送信する（Ｓ５９）。一方、次の曲がない場合には（Ｓ５７でＮＯ）、何もしないで再生監視ルーチンを終了する。今回以後に実行されるこの再生監視ルーチンにおけるＳ５１の動作で、たとえば新たな曲を選曲する操作やソースをラジオ放送に切り換える操作などを検出するまで、オーディオの再生は行われない。
【００７４】
また、ＮＦＣ通信が切断されたことを検出した場合には（Ｓ５３でＹＥＳ）、携帯端末装置１が取り上げられたと判断し、１０秒間だけ現在の再生状態を継続し、１０秒が経過すると再生を停止して電源をオフする（Ｓ６０）。再生停止時は、ボリュームをフェードアウトさせてもよい。なお、この１０秒間は、ユーザによる「オーディオソースの再生に変更を生じさせる操作」を受け付けないようにしてもよい。また、電源オフの操作以外の操作を受け付けないようにしてもよい。また、上記電源オフまでの時間（１０秒）を、ユーザによって選択・設定可能にしても良い
【００７５】
図５（Ｂ）は、携帯端末装置１の据置機器監視ルーチンを示すフローチャートである。このルーチンは、据置機器２との間でＮＦＣ通信が確立されているとき、定期的に（たとえば１００ｍ秒に１回）実行される。このルーチンでは、据置機器２から送られてきた変更情報を受信したか（Ｓ７０）、据置機器２とのＮＦＣ通信が切断されたか（Ｓ７１）を監視している。
【００７６】
変更情報を受信すると（Ｓ７０でＹＥＳ）、この制御情報を記憶するとともに（Ｓ７２）、その受信時刻をこの制御情報に対応づけて記憶する（Ｓ７３）。一方、ＮＦＣ通信が切断されたことを検出すると（Ｓ７１でＹＥＳ）、記憶している変更情報および変更情報の受信時刻に基づいて、据置機器２が、現在どの曲のどのタイミングを再生しているかを推定し（Ｓ７４）、その曲の音楽ファイルを読み出して、その推定された箇所から再生を開始する（Ｓ７５）。
【００７７】
以上の動作により、据置機器２から携帯端末装置１へのオーディオ再生の引き継ぎがシームレスに行われる。
【００７８】
以上は、ＭＰ３等の音楽ファイルの再生を移行する場合を例にあげて説明したが、他のソースの再生、例えばラジオ放送、テレビ放送の受信を移行する場合にも同様に適用可能である。たとえば、携帯端末装置１でラジオ放送（サイマルラジオ）を聴いていた場合には、Ｓ７で受信中の放送局の情報を動作情報として送信し、据置機器２ではＳ２７でその放送局を受信するようＦＭチューナ５６を制御するようにすればよい。
【００７９】
また、シームレスな動作の引き継ぎは、オーディオの再生に限定されない。アラームの設定情報を移行した場合、アラーム時刻になると据置機器２がアラーム音を鳴動させる。携帯端末装置１は、据置機器２とＮＦＣ通信が確立されている間は、アラーム音を停止させればよい。
【００８０】
また、電話の着信があった場合、メールを受信した場合、携帯端末装置１はその旨を据置機器２に通知し、据置機器２が着信音、メール受信音を発生させる。ユーザは電話に応答するため、または、メールを見るために、携帯端末装置１を据置機器２から取り上げるが、この場合は、図５のＳ５３→Ｓ６０、および、Ｓ７１→Ｓ７４、Ｓ７５に示すＮＦＣ切断時の動作は行わない。
【００８１】
また、この実施形態では、携帯端末装置１が取り上げられたときのために、据置機器２においてオーディオソースの再生に変更が生じた場合に、ＮＦＣ通信でその変更情報を携帯端末装置１に送信するようにしているが、オーディオソースの再生に変更が生じた場合のみならず、定期的に動作状態を転送するようにしてもよい。
【００８２】
また、事前に動作情報を転送することなく、ＮＦＣ通信の切断によって携帯端末装置１の取り上げが検出されたのち、ＢｌｕｅｔｏｏｔｈやＷｉ−Ｆｉ等の近距離通信を用いて据置機器２の現在の動作情報を携帯端末装置１に転送するようにしてもよい。また、携帯端末装置１から据置機器２への動作の引き継ぎ時の動作情報、設定情報の転送もＢｌｕｅｔｏｏｔｈやＷｉ−Ｆｉ等の近距離通信を用いてもよい。
【００８３】
また、ＮＦＣ通信の開始／切断以外の方式（たとえば、リミットスイッチ、光センサ、静電センサなど）を用いて、携帯端末装置１が、据置機器２の天板２Ａなどの載置部に載置されたこと、および、携帯端末装置１が載置部から取り上げられたことを検出するようにしてもよい。
【００８４】
なお、この実施形態では、動作を引き継ぐ据置機器２の天板２Ａを携帯端末装置１の置き場所（トレイ）としているが、携帯端末装置１を置くトレイを据置機器２と別体で設けてもよい。この場合、据置機器２とそのトレイとは有線（有線ＬＡＮ、ＰＬＣ（Ｐｏｗｅｒ  Ｌｉｎｅ  Ｃｏｍｍｕｎｉｃａｔｉｏｎ））、または、無線（Ｗｉ−Ｆｉ，Ｂｌｕｅｔｏｏｔｈ、）で接続すればよい。
【００８５】
また、携帯端末装置１を載置する載置部は、トレイに限定されない。たとえば、引っ掛けるフック、立て掛けるスタンドなどの形態であってもよい。また、本発明における近接はこれら載置部に載置された状態を指すのみならず、載置されていなくてもＮＦＣ通信が可能な程度に近接した状態をも含むものとする。
【００８６】
また、ラジオ放送は、デジタルラジオ放送（ＤＡＢ：Ｄｉｇｉｔａｌ  Ａｕｄｉｏ  Ｂｒｏａｄｃａｓｔ）であってもよい。
【００８７】
また、携帯端末装置１でテレビ放送の録画予約を入力し、携帯端末装置１が据置機器２に置かれたとき、この録画予約情報をＨＤＭＩなどを介して録画装置に送信して録画予約を設定するようにしてもよい。この場合、携帯端末装置１が取り上げられても、設定が停止（録画予約が取消）になることはない。
【００８８】
また、携帯端末装置１は、多機能電話機（スマートフォン）に限らず、携帯オーディオプレーヤ、タブレット端末、携帯情報端末（ＰＤＡ：Ｐｅｒｓｏｎａｌ  Ｄｉｇｉｔａｌ  Ａｓｓｉｓｔａｎｔ）などであってもよい。
【符号の説明】
【００８９】
１  携帯端末装置（第１機器）
２  据置機器（第２機器）
２Ａ  天板（トレイ、載置部）
２５  ＮＦＣ通信回路
４０  通信コイル
６２  ＮＦＣ通信回路
６３  通信コイル
【図１】
2014027458.tif 000003
【図２】
2014027458.tif 000004
【図３】
2014027458.tif 000005
【図４】
2014027458.tif 000006
【図５】
2014027458.tif 000007